(57)【特許請求の範囲】
【請求項１】
画像を読み取るための画像入力装置、画像処理を行うホストコンピュータおよび画像を表示または出力する画像出力装置からなり、画像入力装置で入力する原稿と、画像出力装置より表示または出力される画像の色を合わせるカラーマネジメントシステムであって、
標準画像を画像入力装置で読み取って予め画像入力装置に格納されている画像入力装置の読み取りの際の特性に係わる色補正情報による補正が施されて得られた画像データと、予めホストコンピュータが格納している標準画像の標準表色系の理想データより、画像入力装置で得られた上記画像データから標準表色系への色変換情報を算出する手段と、
この算出された色変換情報と予め画像入力装置に格納されている上記色補正情報とを合成する手段と、
この合成された合成色変換情報を画像入力装置内部の色変換部に格納する手段と、
上記画像入力装置において、画像読み取り後に格納された上記合成色変換情報を用いて標準表色系への画像データの変換を行う手段と、
を備えたことを特徴とするカラーマネジメントシステム。
【請求項２】
上記算出された色変換情報と画像入力装置に格納されている色補正情報との合成をホストコンピュータで行わせるために、上記合成前に上記画像入力装置の色補正情報をホストコンピュータに転送する手段と、上記合成後に上記合成された合成色変換情報を上記画像入力装置に転送する手段と、を備えたことを特徴とする請求項１に記載のカラーマネジメントシステム。
【請求項３】
上記算出された色変換情報と画像入力装置に格納されている色補正情報との合成を画像入力装置で行うために、上記算出された色変換情報を上記画像入力装置に転送する手段を備えたことを特徴とする請求項１に記載のカラーマネジメントシステム。
【請求項４】
上記算出された色変換情報と画像入力装置に格納されている色補正情報との合成を、ホストコンピュータで実行されているプロセスの数に従って、ホストコンピュータおよび画像入力装置のいずれで行うかを選択する手段を備えたことを特徴とする請求項１に記載のカラーマネジメントシステム。
【請求項５】
画像を読み取るための画像入力装置、画像処理を行うホストコンピュータおよび画像を表示または出力する画像出力装置からなり、画像入力装置で入力する原稿と、画像出力装置より表示または出力される画像の色を合わせるカラーマネジメントシステムであって、
標準画像を画像入力装置で読み取って予め画像入力装置に格納されている画像入力装置の読み取りの際の特性に係わる色補正情報による補正が施されて得られた画像データと、予めホストコンピュータが格納している標準画像の標準表色系の理想データより、画像入力装置で得られた上記画像データから標準表色系への色変換情報を算出する手段と、
この算出された色変換情報と、予め画像入力装置に格納されている上記色補正情報と、標準表色系から画像出力装置のデータへの画像出力側の色変換情報とを合成する手段と、
この合成された複合合成色変換情報を画像入力装置内部の色変換部に格納する手段と、
上記画像入力装置において、画像読み取り後に格納された上記複合合成色変換情報を用いて画像出力装置の画像データへの変換を行う手段と、
を備えたことを特徴とするカラーマネジメントシステム。
【請求項６】
上記算出された色変換情報と、画像入力装置に格納されている色補正情報と、標準表色系から画像出力装置のデータへの画像出力側の色変換情報との合成をホストコンピュータで行わせるために、上記合成前に上記画像入力装置の色補正情報をホストコンピュータに転送する手段と、上記合成後に上記合成された複合合成色変換情報を上記画像入力装置に転送する手段と、を備えたことを特徴とする請求項５に記載のカラーマネジメントシステム。
【請求項７】
上記算出された色変換情報と、画像入力装置に格納されている色補正情報と、標準表色系から画像出力装置のデータへの画像出力側の色変換情報との合成を画像入力装置で行うために、上記算出された色変換情報および標準表色系から画像出力装置のデータへの画像出力側の色変換情報とを上記画像入力装置に転送する手段を備えたことを特徴とする請求項５に記載のカラーマネジメントシステム。
【請求項８】
上記算出された色変換情報と、画像入力装置に格納されている色補正情報と、標準表色系から画像出力装置のデータへの画像出力側の色変換情報との合成を、ホストコンピュータで実行されているプロセスの数に従って、ホストコンピュータおよび画像入力装置のいずれで行うかを選択する手段を備えたことを特徴とする請求項５に記載のカラーマネジメントシステム。
【請求項９】
画像を読み取るための画像入力装置、画像処理を行うホストコンピュータおよび画像を表示または出力する画像出力装置からなり、画像入力装置で入力する原稿と、画像出力装置より表示または出力される画像の色を合わせるカラーマネジメントシステムの画像入力装置であって、
画像入力装置で得られた色補正情報による補正が施された画像データからホストコンピュータでの標準表色系への色変換情報と、画像入力装置における読み取りの際の特性に係わる上記色補正情報とを合成した合成色変換情報を格納し、画像読み取り後に格納された上記合成色変換情報を用いて標準表色系への画像データの変換を行う画像入力装置。
【請求項１０】
画像を読み取るための画像入力装置、画像処理を行うホストコンピュータおよび画像を表示または出力する画像出力装置からなり、画像入力装置で入力する原稿と、画像出力装置より表示または出力される画像の色を合わせるカラーマネジメントシステムの画像入力装置であって、
画像入力装置で得られた色補正情報による補正が施された画像データからホストコンピュータでの標準表色系への色変換情報と、画像入力装置における読み取りの際の特性に係わる上記色補正情報と、標準表色系から画像出力装置のデータへの画像出力側の色変換情報とを合成した複合合成色変換情報を格納し、画像読み取り後に格納された上記複合合成色変換情報を用いて画像出力装置の画像データへの変換を行う画像入力装置。
【発明の詳細な説明】
【０００１】
【産業上の利用分野】
この発明は、画像を読み取るためのカラースキャナ等の画像入力装置と、画像処理を行うホストコンピュータと、画像を表示するディスプレイおよび出力するカラープリンタ等からなると画像出力装置と、から成るシステムにおいて、画像入力装置で入力する原稿と、画像出力装置より表示または出力される画像の色を合わせるカラーマネジメントシステムおよびその画像入力装置に関するものである。
【０００２】
【従来の技術】
図５は例えば日経エレクトロニクス、1992.12.21(No.570)に掲載された従来のカラーマネジメントシステムの構成を示す図である。このカラーマネジメントシステムはカラースキャナ１、ホストコンピュータ２、カラープリンタ３、ＣＲＴディスプレイ４から成る。
【０００３】
またホストコンピュータ２上において、このカラーマネジメントシステムのソフトウエアは、色管理エンジン２４、カラースキャナ１の色特性を定義したプロファイルＳ２１、ＣＲＴディスプレイ４の色特性を定義したプロファイルＣ２２、カラープリンタ３の色特性を定義したプロファイルＰ２３、アプリケーションＡＰとのインタフェース部分であるＡＰＩ２５から構成される。なお、ＣＰＵ２６はこのホストコンピュータ２全体の制御を行う制御処理部として示したもので、制御処理プログラムも含むものとして示されている。
【０００４】
一方、このようなシステムの一般的な、カラースキャナ１における読み取りから色処理に関連する部分は以下のようになっている。イメージセンサ１１からの色信号はＡ／Ｄ変換部１２でデジタル信号となった後、光源やセンサ、レンズ等(図示せず)の特性を取り除くための色補正が色補正部１３で行われ、その後、ホストコンピュータ２に転送される。また、カラースキャナ１にはセンサ駆動や色変換のさまざまな制御を行うＣＰＵ１４がある。
【０００５】
次に動作について説明する。色管理エンジン２４は画像入力時にはカラースキャナ１に対応するプロファイルＳ２１を、カラープリンタ３から画像を出力する時にはこれに対応するプロファイルＰ２３、ＣＲＴディスプレイ４に画像を表示する時にはこれに対応するプロファイルＣ２２を呼び出して、それぞれの周辺機器間の色の違いを抑える。各プロファイルには機器の色表現範囲の大きさや、機器固有の色信号と標準色信号との間の変換テーブルまたは変換係数などを格納してある。プロファイルの一例を図６に示した。
【０００６】
従って、カラースキャナ１で読み取った画像をカラープリンタ３、もしくはＣＲＴディスプレイ４に出力する時の画像データの流れは、次のようになる。
イメージセンサ１１から出力されるデータはＡ／Ｄ変換、色補正処理を施され各色(ＲＧＢ)８bitのデータとなり、ホストコンピュータ２に転送される。すると色管理エンジン２４は、このカラースキャナ１のプロファイルＳ２１よりカラースキャナ１のデータと標準色信号の間の変換テーブル、もしくは変換係数を参照して標準色信号に変換する。
【０００７】
次にカラープリンタ３から画像を出力する場合は、カラープリンタ３のプロファイルＰ２３を参照して、標準色信号をカラープリンタ用のデータに変換してホストコンピュータ２から出力する。ＣＲＴディスプレイ４の場合も、同様にＣＲＴディスプレイ用のプロファイルＣ２２を参照して、標準色信号をＣＲＴディスプレイ用のデータに変換して表示する。
【０００８】
【発明が解決しようとする課題】
従来のカラーマネジメントシステムは以上のように構成されているので、画像データは画像入力装置からホストコンピュータに転送される段階で、各成分ともすでに８bitに丸められており、誤差を含んでいる。従って、従来のカラーマネジメントシステムは、上述のような誤差を含んだデータに対して色変換処理を行っていた。
【０００９】
また、入力画像データから標準色信号へ、標準色信号から出力機器用画像データへの２回の色変換をしているので、色変換をする度に誤差が生じる。ゆえに、従来のカラーマネジメントシステムによる色変換は、精度上、問題があり、高い画像データを得ることができないという問題点があった。
【００１０】
この発明は上記のような問題点を解消するためになされたもので、従来のカラーマネジメントシステムではホストコンピュータで行っている色変換処理を、カラースキャナ内部の色補正と合成して一つの色変換とし、この合成された色変換をカラースキャナ内部の色変換部で行うことにより、８bitに丸められる以前の高精度なデータに対して色変換処理を行い、特に色変換に関し、精度の高い画像データを得ることができるカラーマネジメントシステムおよびその画像入力装置を得ることを目的とする。
【００１１】
【課題を解決するための手段】
上記の目的に鑑み、この発明の第１の発明は、画像を読み取るための画像入力装置、画像処理を行うホストコンピュータおよび画像を表示または出力する画像出力装置からなり、画像入力装置で入力する原稿と、画像出力装置より表示または出力される画像の色を合わせるカラーマネジメントシステムであって、標準画像を画像入力装置で読み取って予め画像入力装置に格納されている画像入力装置の読み取りの際の特性に係わる色補正情報による補正が施されて得られた画像データと、予めホストコンピュータが格納している標準画像の標準表色系の理想データより、画像入力装置で得られた画像データから標準表色系への色変換情報を算出する手段と、この算出された色変換情報と予め画像入力装置に格納されている上記色補正情報とを合成する手段と、この合成された合成色変換情報を画像入力装置内部の色変換部に格納する手段と、上記画像入力装置において、画像読み取り後に格納された上記合成色変換情報を用いて標準表色系への画像データの変換を行う手段と、を備えたことを特徴とするカラーマネジメントシステムにある。
【００１２】
この発明の第２の発明は、上記算出された色変換情報と画像入力装置に格納されている色補正情報との合成をホストコンピュータで行わせるために、上記合成前に上記画像入力装置の色補正情報をホストコンピュータに転送する手段と、上記合成後に上記合成された合成色変換情報を上記画像入力装置に転送する手段と、を備えたことを特徴とする。
【００１３】
この発明の第３の発明は、上記算出された色変換情報と画像入力装置に格納されている色補正情報との合成を画像入力装置で行うために、上記算出された色変換情報を上記画像入力装置に転送する手段を備えたことを特徴とする。
【００１４】
この発明の第４の発明は、上記算出された色変換情報と画像入力装置に格納されている色補正情報との合成を、ホストコンピュータで実行されているプロセスの数に従って、ホストコンピュータおよび画像入力装置のいずれで行うかを選択する手段を備えたことを特徴とする。
【００１５】
この発明の第５の発明は、画像を読み取るための画像入力装置、画像処理を行うホストコンピュータおよび画像を表示または出力する画像出力装置からなり、画像入力装置で入力する原稿と、画像出力装置より表示または出力される画像の色を合わせるカラーマネジメントシステムであって、標準画像を画像入力装置で読み取って予め画像入力装置に格納されている画像入力装置の読み取りの際の特性に係わる色補正情報による補正が施されて得られた画像データと、予めホストコンピュータが格納している標準画像の標準表色系の理想データより、画像入力装置で得られた上記画像データから標準表色系への色変換情報を算出する手段と、この算出された色変換情報と、予め画像入力装置に格納されている上記色補正情報と、標準表色系から画像出力装置のデータへの画像出力側の色変換情報とを合成する手段と、この合成された複合合成色変換情報を画像入力装置内部の色変換部に格納する手段と、上記画像入力装置において、画像読み取り後に格納された上記複合合成色変換情報を用いて画像出力装置の画像データへの変換を行う手段と、を備えたことを特徴とするカラーマネジメントシステムにある。
【００１６】
この発明の第６の発明は、上記算出された色変換情報と、画像入力装置に格納されている色補正情報と、標準表色系から画像出力装置のデータへの画像出力側の色変換情報との合成をホストコンピュータで行わせるために、上記合成前に上記画像入力装置の色補正情報をホストコンピュータに転送する手段と、上記合成後に上記合成された複合合成色変換情報を上記画像入力装置に転送する手段と、を備えたことを特徴とする。
【００１７】
この発明の第７の発明は、上記算出された色変換情報と、画像入力装置に格納されている色補正情報と、標準表色系から画像出力装置のデータへの画像出力側の色変換情報との合成を画像入力装置で行うために、上記算出された色変換情報および標準表色系から画像出力装置のデータへの画像出力側の色変換情報とを上記画像入力装置に転送する手段を備えたことを特徴とする。
【００１８】
この発明の第８の発明は、上記算出された色変換情報と、画像入力装置に格納されている色補正情報と、標準表色系から画像出力装置のデータへの画像出力側の色変換情報との合成を、ホストコンピュータで実行されているプロセスの数に従って、ホストコンピュータおよび画像入力装置のいずれで行うかを選択する手段を備えたことを特徴とする。
【００１９】
この発明の第９の発明は、画像を読み取るための画像入力装置、画像処理を行うホストコンピュータおよび画像を表示または出力する画像出力装置からなり、画像入力装置で入力する原稿と、画像出力装置より表示または出力される画像の色を合わせるカラーマネジメントシステムの画像入力装置であって、画像入力装置で得られた画像データからホストコンピュータでの標準表色系への色変換情報と、画像入力装置における読み取りの際の特性に係わる色補正情報とを合成した合成色変換情報を格納し、画像読み取り後に格納された上記合成色変換情報を用いて標準表色系への画像データの変換を行う画像入力装置にある。
【００２０】
この発明の第１０の発明は、画像を読み取るための画像入力装置、画像処理を行うホストコンピュータおよび画像を表示または出力する画像出力装置からなり、画像入力装置で入力する原稿と、画像出力装置より表示または出力される画像の色を合わせるカラーマネジメントシステムの画像入力装置であって、画像入力装置で得られた画像データからホストコンピュータでの標準表色系への色変換情報と、画像入力装置における読み取りの際の特性に係わる色補正情報と、標準表色系から画像出力装置のデータへの画像出力側の色変換情報とを合成した複合合成色変換情報を格納し、画像読み取り後に格納された上記複合合成色変換情報を用いて画像出力装置の画像データへの変換を行う画像入力装置にある。
置。
【００２１】
【作用】
この発明の第１の発明では、画像入力装置から標準表色系への色変換係数もしくは色変換テーブル(色変換情報)を算出し、この算出された画像入力装置から標準表色系への色変換情報と、予め画像入力装置に格納されている色補正情報とを合成し、この合成された合成色変換情報を画像入力装置内部の色変換部に格納し、画像入力装置内部でＡ／Ｄ変換後に、格納された合成色変換情報を用いて標準表色系への画像データの変換を行うようにし、特に色変換に関し高い精度のデータ変換を実現した。
【００２２】
この発明の第２の発明では、上述の算出された色変換情報と、予め画像入力装置に格納されている色補正情報との合成をホストコンピュータで行わせるようにし、画像入力装置での負荷を軽減させるようにした。
【００２３】
この発明の第３の発明では、上述の算出された色変換情報と、予め画像入力装置に格納されている色補正情報との合成を画像入力装置で行わせるようにし、画像入力装置とホストコンピュータの間の情報の転送回数を減らし、処理を簡単にした。
【００２４】
この発明の第４の発明では、上述の算出された色変換情報と画像入力装置に格納されている色補正情報との合成を、ホストコンピュータで実行されているプロセスの数に従って、ホストコンピュータおよび画像入力装置のいずれで行うかを選択するようにし、状況に応じて合成処理を行うところを選択するようにし、処理の効率化を図った。
【００２５】
この発明の第５の発明では、画像入力装置から標準表色系への色変換係数もしくは色変換テーブル(色変換情報)を算出し、この算出された画像入力装置から標準表色系への色変換情報と、予め画像入力装置に格納されている色補正情報と、標準表色系から画像出力装置への色変換情報とを合成し、この合成された複合合成色変換情報を画像入力装置内部の色変換部に格納し、画像入力装置内部でＡ／Ｄ変換後に、格納された複合合成色変換情報を用いて画像出力装置への画像データの変換を行うようにして、特に色変換に関し高い精度のデータ変換を実現した。
【００２６】
この発明の第６の発明では、上述の算出された色変換情報と、予め画像入力装置に格納されている色補正情報と、標準表色系から画像出力装置への色変換情報との合成をホストコンピュータで行わせるようにし、画像入力装置での負荷を軽減させるようにした。
【００２７】
この発明の第７の発明では、上述の算出された色変換情報と、予め画像入力装置に格納されている色補正情報と、標準表色系から画像出力装置への色変換情報との合成を画像入力装置で行わせるようにし、画像入力装置とホストコンピュータの間の情報の転送回数を減らし、処理を簡単にした。
【００２８】
この発明の第８の発明では、上述の算出された色変換情報と、画像入力装置に格納されている色補正情報と、標準表色系から画像出力装置への色変換情報との合成を、ホストコンピュータで実行されているプロセスの数に従って、ホストコンピュータおよび画像入力装置のいずれで行うかを選択するようにし、状況に応じて合成処理を行うところを選択するようにし、処理の効率化を図った。
【００２９】
この発明の第９の発明では、画像入力装置が、この画像入力装置からホストコンピュータでの標準表色系への色変換情報と、画像入力装置における色補正情報とを合成した合成色変換情報を格納し、画像読み取り後に、格納された合成色変換情報を用いて標準表色系への画像データの変換を行うようにし、特に色変換に関し高い精度のデータ変換を実現した。
【００３０】
この発明の第１０の発明では、画像入力装置が、この画像入力装置からホストコンピュータでの標準表色系への色変換情報と、画像入力装置における色補正情報と、標準表色系から画像出力装置のデータへの色変換情報とを合成した複合合成色変換情報を格納し、画像読み取り後に、格納された上記複合合成色変換情報を用いて画像出力装置の画像データへの変換を行うようにし、特に色変換に関し高い精度のデータ変換を実現した。
【００３１】
【実施例】
以下、この発明の実施例を図に従って説明する。
実施例１．
図１はこの発明の一実施例によるカラーマネジメントシステムの構成を示した図である。このシステムは、カラースキャナ１０、ホストコンピュータ２０、カラープリンタ３、ＣＲＴディスプレイ４から構成される。なお、アプリケーションおよびＡＰＩ(アプリケーションインターフェース)の図示は省略されている。
【００３２】
カラースキャナ１０内部では、イメージセンサ１１で読み取られた画像データがＡ／Ｄ変換部１２で各成分８bitより大きなbit深度のデジタルデータ(例えば１０bit、この実施例ではカラースキャナ１０内部のＡ／Ｄ変換部１２から出力されるデータを１０bitとする)に変換され、色変換部Ａ１５で標準表色系の各成分８bitの画像データ(例えば(X,Y,Z)表色系、以後、この実施例では標準表色系として(X,Y,Z)を用いる)に変換され、ホストコンピュータ２０に転送される。
【００３３】
ホストコンピュータ２０では、色管理エンジン２４がカラースキャナ１０から入力された標準表色系(X,Y,Z)データを各出力機器に対応した画像データへの変換を行う。例えばＣＲＴディスプレイ４に出力する場合はＲＧＢデータへの変換、カラープリンタ３であればＣＭＹデータへの変換である。
【００３４】
この時、それぞれの出力機器のプロファイル(ＣＲＴディスプレイ４の場合はプロファイルＣ２２、カラープリンタ３の場合はプロファイルＰ２３)を参照してデータ変換を行う。プロファイルは、例えば従来例で述べたものと同じである。従って、その機器固有のプロファイルをシステムにインストールすれば、任意のＣＲＴディスプレイ、カラープリンタでシステムを組むことができる。
【００３５】
次に、カラースキャナ１０内部の色変換部Ａ１５について説明する。この色変換部Ａ１５を、従来のカラースキャナ内部にある色補正を目的とした色補正部(図５の１３参照)と、カラースキャナのＲＧＢデータからホストコンピュータ２０におけるＸＹＺ表色系への色変換を合成したものであると考える。また、この色変換部Ａ１５に入力するデータは各色１０bit、色変換部Ａ１５から出力されるデータは各成分８bitとなる。
【００３６】
カラースキャナ１０内部の色補正をＴoとし、カラースキャナ１０のＲＧＢデータからＸＹＺ表色系への変換(従来例のプロファイルＳに対応する)をＴｓとすると、色変換部Ａ１５での色変換Ａは２つの変換の合成としてＴo＊Ｔsであらわすことができる。カラースキャナ１０内部の色補正Ｔoは既知であるとする。スキャナデータから標準表色系への色変換Ｔsは、キャリブレーションによって求めることができれば、色変換Ａ(合成色変換)を求めることができる。
【００３７】
色変換Ｔsをキャリブレーションによって求める方法を以下に説明する。キャリブレーションに必要な標準原稿の例を図２に示す。図２は色票であり、異なるＫ色ベタ塗の正方形から成っている。この標準原稿をカラースキャナ１０で読み取る。スキャナ内部の色補正のみ施された段階の標準原稿の画像データ(図５のＳのポイントにおける標準原稿の画像データ)を(rn,gn,bn)とする。ｎを色の番号とする。カラースキャナ１０内部の色補正後の画像データ(rn,gn,bn)に色変換処理をかけると、標準表色系(X,Y,Z)の理想データになると考え、これを(１)式に示すような線形変換で表せるとする。
【００３８】
【数１】
0003638990.tif 000002
【００３９】
標準原稿のｋ色について、ホストコンピュータ２０に予め記憶させておいた理想の標準表系のデータ(Xn,Yn,Zn)と、カラースキャナ１０で読み取った画像データ(rn,gn,bn)を(１)式に代入することにより、ｋ個の方程式ができる。これを例えば重回帰法を用いて解くことで(１)式の色変換係数
【００４０】
【数２】
0003638990.tif 000003
【００４１】
を算出することができる。
【００４２】
次に、カラースキャナ１０内の色補正を目的とした色補正Ｔoについて説明する。イメージセンサ１１から出力され、デジタルデータに変換された画像データ(R,G,B)(図１のＳ’のポイントにおける標準原稿の画像データ)にスキャナ内部の色補正をかけると(r,g,b)となることを(２)式に示す。
【００４３】
【数３】
0003638990.tif 000004
【００４４】
(２)式における色変換係数
【００４５】
【数４】
0003638990.tif 000005
【００４６】
は既知である。
【００４７】
次に、カラースキャナ１０内の色補正Ｔoとカラースキャナ１０からホストコンピュータ２０における標準表色系への色変換Ｔsの合成について説明する。これを上記(１)式および(２)式より以下に示す(３)式として導くことができる。イメージセンサ１１から出力され、Ａ／Ｄ変換部１２でＡ／Ｄ変換されたデータ(R,G,B)から標準表色系(X,Y,Z)への変換は(１)式、(２)式により(３)式のようになる。
【００４８】
【数５】
0003638990.tif 000006
【００４９】
合成された合成色変換の係数を新たに
【００５０】
【数６】
0003638990.tif 000007
【００５１】
で表すと、(４)式のようになる。
【００５２】
【数７】
0003638990.tif 000008
【００５３】
従って、合成色変換係数は(３)式と(４)式によって導かれた下記の(５)、(６)式に従って計算される。
【００５４】
【数８】
0003638990.tif 000009
【００５５】
(４)式において、１０bit精度の(R,G,B)が８bit精度の(X,Y,Z)に算出されることが必要である。ゆえに、(５)式、(６)式によって計算される色変換係数も１０bit以上必要である。
【００５６】
最後に、上で算出された色変換係数(合成色変換情報)
【００５７】
【数９】
0003638990.tif 000010
【００５８】
をカラースキャナ１０に転送し、カラースキャナ１０内の色変換部Ａ１５に格納する。よって、図１に示すように、カラースキャナ１０内部の色変換Ａにおいて、イメージセンサ１１から出力された１０bit精度の(R,G,B)データが８bit精度の(X,Y,Z)データに変換できるようになる。演算後に各成分のデータを８bitに丸めてホストコンピュータ２０に転送する。
【００５９】
以上のことに基づいて行われる、この実施例におけるカラースキャナ１０とホストコンピュータ２０との間で行われる具体的な動作を順番に簡単に説明する。なお、この動作はカラースキャナ１０のＣＰＵ１４およびホストコンピュータ２０のＣＰＵ２６(それぞれプログラムを含む)の制御により行われる。
【００６０】
まず、標準画像をカラースキャナ１０(画像入力装置)で読み取って得られた画像データと、予めホストコンピュータ２０に持っている標準画像の標準表色系の理想データより、スキャナ１０から標準表色系への色変換係数もしくは色変換テーブル(色変換情報)をホストコンピュータ２０において算出する。次に、予めスキャナ１０に格納されている色補正係数もしくは色補正テーブル(色補正情報)をホストコンピュータ２０に転送する。
【００６１】
次に、算出されたスキャナ１０から標準表色系への色変換情報と、ホストコンピュータ２０に転送されたスキャナ１０内部の色補正情報をホストコンピュータ２０において合成する。次に、合成された合成色変換係数もしくは合成色変換テーブル(合成色変換情報)をスキャナ１０に転送し、色変換部Ａ１５に格納する。これにより、スキャナ１０は、Ａ／Ｄ変換後のデータを、上述の格納されている合成色変換係数もしくは合成色変換テーブルを用いて、標準表色系の画像データに変換することができる。
【００６２】
実施例２．
なお、上記実施例では２つの色変換の合成について、スキャナ１０内部の色補正Ｔoの係数
【００６３】
【数１０】
0003638990.tif 000011
【００６４】
をホストコンピュータ２０に転送して、ホストコンピュータ上でスキャナ１０内部の色補正Ｔoとスキャナ１０の画像データから標準表色系への色変換Ｔsを合成する方法を示したが、逆に、ホストコンピュータ２０で算出されたスキャナデータから標準表色系への色変換Ｔsの係数
【００６５】
【数１１】
0003638990.tif 000012
【００６６】
をスキャナ１０に転送し、スキャナ１０のＣＰＵ１４を用いて、スキャナから標準表色系への色変換Ｔsとスキャナ内部の色補正Ｔoを合成しても良い。つまり、スキャナ１０において(５)式、(６)式の演算を行い、算出された合成色変換係数をそのままスキャナ内の色変換部Ａ１５に格納する。よって、図１に示すように、スキャナ１０内部の色変換部Ａ１５において、イメージセンサ１１から出力された１０bit精度の(R,G,B)データが８bit精度の(X,Y,Z)データに変換できるようになる。演算後に、各成分のデータを８bitに丸めてホストコンピュータ２０に転送する。
【００６７】
以上のことに基づいて行われる、この実施例におけるカラースキャナ１０とホストコンピュータ２０との間で行われる具体的な動作を順番に簡単に説明する。なお、この動作はカラースキャナ１０のＣＰＵ１４およびホストコンピュータ２０のＣＰＵ２６(それぞれプログラムを含む)の制御により行われる。
【００６８】
まず、標準画像をスキャナ１０で読み取って得られた画像データと、予めホストコンピュータ２０に持っている標準画像の標準表色系の理想データより、スキャナ１０から標準表色系への色変換係数もしくは色変換テーブル(色変換情報)をホストコンピュータ２０において算出する。次に、算出されたスキャナから標準表色系への色変換情報をスキャナ１０に転送する。
【００６９】
次に、スキャナに転送された標準表色系への色変換情報と、予めスキャナ１０に格納されている色補正情報をスキャナ１０内部で合成する。次に、合成された合成色変換係数もしくは合成色変換テーブル(合成色変換情報)を色変換部Ａ１５に格納する。これによりスキャナ１０は、Ａ／Ｄ変換後のデータを、上述の格納された合成色変換係数もしくは合成色変換テーブルを用いて、標準表色系の画像データに変換することができる。
【００７０】
実施例３．
なお、上記実施例では、スキャナ１０内部、もしくはホストコンピュータ２０上で２つの色変換の合成の演算を行うものについて説明したが、その時のホストコンピュータ２０で実行されているプロセスの数により、スキャナ１０とホストコンピュータ２０のどちらで色変換の合成を行うかを選択することができるようにすることもできる。この時、ホストコンピュータ２０で多くのプロセスが処理されていれば、すなわちホストコンピュータ２０で処理すると時間がかかる場合には、スキャナ１０にスキャナの画像データから標準表色系への色変換Ｔsの係数
【００７１】
【数１２】
0003638990.tif 000013
【００７２】
を転送し、スキャナ１０のＣＰＵ１４を用いて色変換の合成をし、合成された合成色変換情報をそのままスキャナ内の色変換部Ａ１５に格納する。逆に、ホストコンピュータで処理されているプロセスがほとんどない、すなわちすぐに処理が行える場合には、スキャナ１０内の色補正Ｔoの係数
【００７３】
【数１３】
0003638990.tif 000014
【００７４】
をホストコンピュータ２０に転送して、ホストコンピュータ上でスキャナ内部の色補正とスキャナの画像データから標準表色系への色変換を合成し、合成された合成色変換情報をスキャナ１０に転送し、スキャナ内の色変換部Ａ１５に格納する。よって、図１に示すように、スキャナ１０内部の色変換部Ａ１５において、イメージセンサ１１から出力された１０bit精度の(R,G,B)データが、８bit精度の(X,Y,Z)データに変換できるようになる。演算後に各成分のデータを８bitに丸めてホストコンピュータ２０に転送する。
【００７５】
なお、具体的動作は、実施例１と実施例２の組み合わせに、ホストコンピュータ２０で処理されるプロセスの数によって上記合成をスキャナ１０とホストコンピュータ２０のいずれで行うかの判断を行う手段が追加されるだけであり、上記説明から明らかであるので、省略する。
【００７６】
実施例４．
なお、上記実施例ではスキャナ１０内部の色補正Ｔoとスキャナから標準表色系への色変換Ｔsから、画像入力装置の色変換部分のみの合成を行うものを示したが、カラープリンタ３やＣＲＴディスプレイ４が決まったものであれば、つまりシステムを構成するハードウェアが固定されていれば、画像入力装置の場合と同様に、標準表色系ＣＲＴディスプレイやカラープリンタなどの画像出力装置に対応した色変換を上述のＴo、Ｔsと合成して一つの色変換とし、スキャナ内部で一回の色変換で出力機器用のデータに変換できる。
【００７７】
図３、図４はこの実施例のカラーマネジメントシステムのうち、色合わせに関係する部分のみの構成を示したものでである。図３はＣＲＴディスプレイ４に出力する場合、図４はカラープリンタ４に出力する場合の構成を示したものである。この実施例のシステムはカラースキャナ１０ａ、ホストコンピュータ２０ａ、カラープリンタ３およびＣＲＴディスプレイ４から構成され、基本的構成は上述の実施例と同じである。
【００７８】
スキャナ１０ａ内部では、イメージセンサ１１で読み取られた画像データがＡ／Ｄ変換部１２で各色８bitより大きなbit深度のデジタルデータに変換され、色変換部Ｂ１６、もしくは色変換部Ｃ１７で画像出力装置すなわち最終出力機器の画像データに変換され、ホストコンピュータ２０ａに転送される。最終出力機器の画像データとは例えばＣＲＴディスプレイ４に出力する場合はＲＧＢデータへの変換、カラープリンタ３に出力する場合であればＣＭＹデータへの変換であり、各成分８bitデータである。
【００７９】
従って、スキャナ内部に目的の出力機器に合わせた色変換機能を持たせるので、通常の読み取りの場合には、このシステムでは色管理エンジン、各周辺機器のプロファイルは用いない、ＣＲＴディスプレイ４、カラープリンタ３を固定にしたシステムということになる。ホストコンピュータ２０ａはこの場合、例えば図１のＣＰＵ２６に当たる制御処理機能だけが使用されることとなる。
【００８０】
次に、スキャナ１０ａ内部の色変換部Ｂ１６、色変換部Ｃ１７について説明する。色変換Ｂ、Ｃを、従来のスキャナ内部にある色補正と、スキャナのＲＧＢデータからホストコンピュータにおけるＸＹＺ表色系への色変換と、ＸＹＺ表色系から各画像出力装置へのデータ(ＣＲＴディスプレイ４であればＲＧＢデータ、カラープリンタ３であればＣＭＹデータ)への色変換を合成したものであると考える。また、この色変換Ｂ、Ｃに入力するデータは各色１０bit、色変換部から出力されるデータは各成分８bitとなる。
【００８１】
上述の実施例と同様、スキャナ１０ａ内部の色補正をＴoとする。スキャナのＲＧＢデータからＸＹＺ表色系への色変換(従来例のプロファイルＳに対応する)をＴsとし、ＸＹＺ表色系から各画像出力装置のデータ(ＣＲＴディスプレイ４であればＲＧＢデータ、カラープリンタ３であればＣＭＹデータ)への色変換をそれぞれＴc、Ｔpとすると、色変換Ｂは３つの色変換の合成としてＴo＊Ｔs＊Ｔcで表すことができる。また、色変換Ｃは３つの色変換の合成としてＴo＊Ｔs＊Ｔpで表すことができる。
【００８２】
まず、スキャナ１０ａ内部の色補正Ｔoは既知であるとする。スキャナデータから標準表色系への色変換Ｔsはキャリブレーションによって求めることができる。これは前実施例と同じである。また、ＣＲＴディスプレイ４への色変換Ｔcとカラープリンタ３への色変換Ｔpは前実施例における、各プロファイルに従った色変換と考えればよい。ＣＲＴディスプレイ４のＲＧＢデータを(cr,cg,cb)とすると、(XYZ)表色系からＣＲＴディスプレイ４のデータへの色変換を次の(７)式で表せる。
【００８３】
【数１４】
0003638990.tif 000015
【００８４】
これにおいて、
【００８５】
【数１５】
0003638990.tif 000016
【００８６】
は色変換Ｔcの係数である。一方、カラープリンタ３のＹＭＣデータを(y,m,c)とすると、(XYZ)表色系からカラープリンタ３のデータへの色変換を次の(８)式で表せる。
【００８７】
【数１６】
0003638990.tif 000017
【００８８】
ここで、
【００８９】
【数１７】
0003638990.tif 000018
【００９０】
は色変換Ｔp係数である。
【００９１】
上述の(２)式における色変換係数
【００９２】
【数１８】
0003638990.tif 000019
【００９３】
は既知であるので、これをホストコンピュータ２０ａに転送する。また、ホストコンピュータ２０ａ上でスキャナ１０ａ内の色補正Ｔoと、スキャナから標準表色系への色変換Ｔsと、標準表色系(XYZ)から各画像出力装置のデータへの色変換ＴcもしくはＴpとを複合合成する。これを(３)式と(７)式もしくは(８)式より、次式のようにして導くことができる。
【００９４】
【数１９】
0003638990.tif 000020
【００９５】
従って、イメージセンサ１１から出力され、Ａ／Ｄ変換されたデータ(R,G,B)からそれぞれの画像出力装置のデータへの変換は(９)式もしくは(１０)式のようになる。複合合成された色変換の係数を新たな係数を用いて定義すると、(１１)式、(１２)式のようになる。
【００９６】
【数２０】
0003638990.tif 000021
【００９７】
よって複合合成色変換係数、
【００９８】
【数２１】
0003638990.tif 000022
【００９９】
を算出する式は、(９)、(１０)、(１１)、(１２)式により(１３)、(１４)、(１５)、(１６)式のようになる。
【０１００】
【数２２】
0003638990.tif 000023
【０１０１】
(１１)、(１２)式によって、１０bit精度の(R,G,B)が８bit精度の(y,m,c)、(cr,cg,cb)に算出されることが必要である。ゆえに、(１３)、(１４)、(１５)、(１６)式によって計算される色変換係数も１０bit以上必要である。
【０１０２】
最後に、上で算出された複合合成色変換係数
【０１０３】
【数２３】
0003638990.tif 000024
【０１０４】
をスキャナ１０ａに転送し、色変換部Ｂ１６もしくは色変換部Ｃ１７に格納する。よって、図３，４に示すように、スキャナ１０ａ内部の色変換部Ｂ１６、色変換部Ｃ１７において、イメージセンサ１１から出力された１０bit精度の(R,G,B)データが８bit精度の各画像出力装置のデータに変換できるようになる。演算後に各成分のデータを８bitに丸めてホストコンピュータ２０ａに転送する。
【０１０５】
以上のことに基づいて行われる、この実施例におけるカラースキャナ１０ａとホストコンピュータ２０ａとの間で行われる具体的な動作を順番に簡単に説明する。なお、この動作はカラースキャナ１０ａのＣＰＵ１４およびホストコンピュータ２０ａのＣＰＵ(それぞれプログラムを含む)の制御により行われる。
【０１０６】
まず、標準画像をスキャナ１０(画像入力装置)で読み取って得られた画像データと、予めホストコンピュータ２０ａに持っている標準画像の標準表色系の理想データより、スキャナ１０ａから標準表色系への色変換係数もしくは色変換テーブル(色変換情報)をホストコンピュータ２０において算出する。次に、予めスキャナ１０ａに格納されている色補正係数もしくは色補正テーブル(色補正情報)をホストコンピュータ２０ａに転送する。
【０１０７】
次に、算出されたスキャナ１０ａから標準表色系への色変換情報と、ホストコンピュータ２０ａに転送されたスキャナ１０ａ内部の色補正情報と、標準表色系からＣＲＴディスプレイ４もしくはカラープリンタ３(画像出力装置)のデータへの色変換情報とをホストコンピュータにおいて複合合成する。次に、複合合成された複合合成色変換係数もしくは複合合成色変換テーブル(複合合成色変換情報)をスキャナ１０ａに転送し、色変換部Ｂ１６もしくは色変換部Ｃ１７(図３および図４参照)に格納する。
【０１０８】
これにより、スキャナ１０ａはＡ／Ｄ変換後のデータを、上述の格納されている複合合成色変換係数もしくは複合合成色変換テーブルを用いて、ＣＲＴディスプレイ４もしくはカラープリンタ３の画像データに変換することができる。
【０１０９】
実施例５．
なお、上記実施例では３つの色変換の合成について、スキャナ１０ａ内部の色補正Ｔoの係数
【０１１０】
【数２４】
0003638990.tif 000025
【０１１１】
をホストコンピュータ２０ａに転送して、ホストコンピュータ上でスキャナ１０ａ内部の色補正とスキャナ１０ａの画像データから標準表色系への色変換と、標準表色系から画像出力装置のデータへの色変換を合成するものを示したが、逆に、ホストコンピュータ２０ａで算出されたスキャナデータから標準表色系への色変換Ｔs係数
【０１１２】
【数２５】
0003638990.tif 000026
【０１１３】
と、標準表色系から画像出力装置のデータへの色変換Ｔc、Ｔpをスキャナ１０ａに転送し、スキャナのＣＰＵ１４を用いて、該スキャナ１０ａにおいて標準表色系への色変換Ｔsと、標準表色系から画像出力装置のデータへの色変換Ｔc、Ｔpと、スキャナ１０ａ内部の色補正Ｔoを合成してもよい。すなわち、スキャナ１０ａ内で(１３)、(１４)、(１５)、(１６)式の演算を行い、算出された複合合成色変換係数
【０１１４】
【数２６】
0003638990.tif 000027
【０１１５】
をそのままスキャナ１０ａ内の色変換部Ｂ１６、もしくは色変換部Ｃ１７に格納する。よって、図３，４に示すように、カラースキャナ内部の色変換Ｂ，Ｃにおいて、イメージセンサ１１から出力された１０bit精度の(R,G,B)データが８bit精度の各画像出力装置のデータに変換できるようになる。演算後に各成分のデータを８bitに丸めてホストコンピュータ２０ａに転送する。
【０１１６】
以上のことに基づいて行われる、この実施例におけるカラースキャナ１０ａとホストコンピュータ２０ａとの間で行われる具体的な動作を順番に簡単に説明する。なお、この動作はカラースキャナ１０ａのＣＰＵ１４およびホストコンピュータ２０ａのＣＰＵ(それぞれプログラムを含む)の制御により行われる。
【０１１７】
まず、標準画像をスキャナ１０ａで読み取って得られた画像データと、予めホストコンピュータ２０ａに持っている標準画像の標準表色系の理想データより、スキャナ１０ａから標準表色系への色変換係数もしくは色変換テーブル(色変換情報)を算出する。次に、算出されたスキャナから標準表色系への色変換情報と、標準表色系からＣＲＴディスプレイ４もしくはカラープリンタ３(画像出力装置)のデータへの色変換係数をスキャナに転送する。
【０１１８】
次に、スキャナに転送された標準表色系への色変換情報および標準表色系からＣＲＴディスプレイ４もしくはカラープリンタ３のデータへの色変換と、予めスキャナ１０ａに格納されている色補正情報をスキャナ１０ａ内部で合成する。次に、合成された複合合成色変換係数もしくは複合合成色変換テーブル(複合合成色変換情報)を色変換部Ｂ１６もしくは色変換部Ｃ１７に格納する。
【０１１９】
これにより、スキャナ１０ａは、Ａ／Ｄ変換後のデータを、上述の格納された複合合成色変換係数もしくは複合合成色変換テーブルを用いて、ＣＲＴディスプレイ４もしくはカラープリンタ３の画像データに変換することができる。
【０１２０】
実施例６．
なお、上記実施例では、スキャナ１０ａ内部、もしくはホストコンピュータ２０ａ上で３つの色変換の合成の演算を行うものについて説明したが、その時のホストコンピュータ２０ａで実行されているプロセスの数により、スキャナ１０ａとホストコンピュータ２０ａのどちらで色変換の合成を行うかを選択することができるようにすることもできる。この時、ホストコンピュータ２０ａで多くのプロセスが処理されていれば、すなわちホストコンピュータ２０ａで処理すると時間がかかる場合には、スキャナ１０ａにスキャナデータから標準表色系への色変換Ｔs係数
【０１２１】
【数２７】
0003638990.tif 000028
【０１２２】
を転送し、スキャナ１０ａのＣＰＵ１４を用いて、該カラースキャナから標準表色系への色変換Ｔsと、標準表色系から画像出力装置のデータへの色変換Ｔc、Ｔpと、スキャナ１０ａ内部の色補正Ｔoの合成をし、合成された複合合成色変換係数をそのままスキャナ内の色変換部Ｂ１６もしくは色変換部Ｃ１７に格納する。逆に、ホストコンピュータ２０ａで走っているプロセスがほとんどない、すなわちすぐに処理が行える場合には、スキャナ１０ａ内の色補正Ｔoの係数
【０１２３】
【数２８】
0003638990.tif 000029
【０１２４】
をホストコンピュータ２０ａに転送して、ホストコンピュータ上でスキャナ内部の色補正Ｔoと、スキャナの画像データから標準表色系への色変換Ｔsと、標準表色系から画像出力装置のデータへの色変換Ｔc、Ｔpとを合成し、合成された複合合成色変換係数
【０１２５】
【数２９】
0003638990.tif 000030
【０１２６】
をスキャナ１０ａに転送し、スキャナ内の色変換部Ｂ１６もしくは色変換部Ｃ１７に格納する。よって、図３、４に示すように、スキャナ１０ａ内部の色変換部Ｂ１６もしくは色変換部Ｃ１７において、イメージセンサ１１から出力された１０bit精度の(R,G,B)データが、８bit精度の各画像出力装置のデータに変換できるようになる。演算後に各成分のデータを８bitに丸めてホストコンピュータ２０ａに転送する。
【０１２７】
なお、具体的動作は、実施例４と実施例５の組み合わせに、ホストコンピュータ２０ａで処理されるプロセスの数によって上記合成をスキャナ１０ａとホストコンピュータ２０ａのいずれで行うかの判断を行う手段が追加されるだけであり、上記説明から明らかであるので、省略する。
【０１２８】
【発明の効果】
以上のように、この発明の第１の発明では、画像入力装置から標準表色系への色変換係数もしくは色変換テーブル(色変換情報)を算出し、この算出された画像入力装置から標準表色系への色変換情報と、予め画像入力装置に格納されている色補正情報とを合成し、この合成された合成色変換情報を画像入力装置内部の色変換部に格納し、画像入力装置内部でＡ／Ｄ変換後に、格納された合成色変換情報を用いて標準表色系への画像データの変換を行うようにしたので、各成分８bitに丸められる以前の精度の高いデータに対して色変換を施すことができ、精度の高い標準表色系のデータを得ることができ、また、２回の色変換を１回の色変換として精度の高いデータに対して行うことができるので、色変換をする度に起こる精度の低化を防ぐことができるカラーマネジメントシステムを提供できる等の効果が得られる。
【０１２９】
この発明の第２の発明では、上述の算出された色変換情報と、予め画像入力装置に格納されている色補正情報との合成をホストコンピュータで行わせるようにしたので、画像入力装置での負荷を軽減させたカラーマネジメントシステムを提供できる等の効果が得られる。
【０１３０】
この発明の第３の発明では、上述の算出された色変換情報と、予め画像入力装置に格納されている色補正情報との合成を画像入力装置で行わせるようにしたので、画像入力装置とホストコンピュータの間の情報の転送回数を減らした効率的に処理が行えるカラーマネジメントシステムを提供できる等の効果が得られる。
【０１３１】
この発明の第４の発明では、上述の算出された色変換情報と画像入力装置に格納されている色補正情報との合成を、ホストコンピュータで実行されているプロセスの数に従って、ホストコンピュータおよび画像入力装置のいずれで行うかを選択するようにし、ホストコンピュータの稼働状況に応じて合成処理を行うところを選択することができるようにしたので、処理の効率化を図ったカラーマネジメントシステムを提供できる等の効果が得られる。
【０１３２】
この発明の第５の発明では、画像入力装置から標準表色系への色変換係数もしくは色変換テーブル(色変換情報)を算出し、この算出された画像入力装置から標準表色系への色変換情報と、予め画像入力装置に格納されている色補正情報と、標準表色系から画像出力装置への色変換情報とを合成し、この合成された複合合成色変換情報を画像入力装置内部の色変換部に格納し、画像入力装置内部でＡ／Ｄ変換後に、格納された複合合成色変換情報を用いて画像出力装置への画像データの変換を行うようにしたので、各成分８bitに丸められる以前の精度の高いデータに対して色変換を施すことができ、精度の高い標準表色系のデータを得ることができ、さらに、標準表色系から画素出力装置用のデータへの色変換も各成分８bitに丸められる前のデータに対して施すことができるので、さらに高精度な色変換が可能になり、また、３回の色変換を１回の色変換として精度の高いデータに対して行うことができるので、色変換をする度に起こる精度の低化を防ぐことができる、カラーマネジメントシステムを提供できる等の効果が得られる。
【０１３３】
この発明の第６の発明では、上述の算出された色変換情報と、予め画像入力装置に格納されている色補正情報と、標準表色系から画像出力装置への色変換情報との合成をホストコンピュータで行わせるようにし、画像入力装置での負荷を軽減させたカラーマネジメントシステムを提供できる等の効果が得られる。
【０１３４】
この発明の第７の発明では、上述の算出された色変換情報と、予め画像入力装置に格納されている色補正情報と、標準表色系から画像出力装置への色変換情報との合成を画像入力装置で行わせるようにしたので、画像入力装置とホストコンピュータの間の情報の転送回数を減らした効率的に処理が行えるカラーマネジメントシステムを提供できる等の効果が得られる。
【０１３５】
この発明の第８の発明では、上述の算出された色変換情報と、画像入力装置に格納されている色補正情報と、標準表色系から画像出力装置への色変換情報との合成を、ホストコンピュータで実行されているプロセスの数に従って、ホストコンピュータおよび画像入力装置のいずれで行うかを選択するようにし、ホストコンピュータの稼働状況に応じて合成処理を行うところを選択することができるようにしたので、処理の効率化を図ったカラーマネジメントシステムを提供できる等の効果が得られる。
【０１３６】
この発明の第９の発明では、画像入力装置が、この画像入力装置からホストコンピュータでの標準表色系への色変換情報と、画像入力装置における色補正情報とを合成した合成色変換情報を格納し、画像読み取り後に、格納された合成色変換情報を用いて標準表色系への画像データの変換を行うようにし、特に色変換に関し高い精度のデータ変換を実現可能にした画像入力装置を提供できる等の効果が得られる。
【０１３７】
この発明の第１０の発明では、画像入力装置が、この画像入力装置からホストコンピュータでの標準表色系への色変換情報と、画像入力装置における色補正情報と、標準表色系から画像出力装置のデータへの色変換情報とを合成した複合合成色変換情報を格納し、画像読み取り後に、格納された上記複合合成色変換情報を用いて画像出力装置の画像データへの変換を行うようにし、特に色変換に関し高い精度のデータ変換を実現可能にした画像入力装置を提供できる等の効果が得られる。
【図面の簡単な説明】
【図１】  この発明の一実施例によるカラーマネジメントシステムの構成を示す図である。
【図２】  この発明のカラーマネジメントシステムにおいて画像入力装置のデータから標準表色系のデータへの色変換係数をキャリブレーションによって求める時に使用する標準原稿の一例を示す図である。
【図３】  この発明の別の実施例によるカラーマネジメントシステムのＣＲＴディスプレイに表示を行う場合の色変換に関連する部分の構成を示す図である。
【図４】  この発明の別の実施例によるカラーマネジメントシステムのカラープリンタに出力を行う場合の色変換に関連する部分の構成を示す図である。
【図５】  従来のカラーマネジメントシステムの構成を示す図である。
【図６】  従来のカラーマネジメントシステムにおける各周辺機器の色の特製を記述したプロファイルの一例を示した図である。
【符号の説明】
３  カラープリンタ、４  ＣＲＴディスプレイ、
１０、１０ａ  カラースキャナ、１１  イメージセンサ、１２  Ａ／Ｄ変換部、１３  色補正部、１４、２６  ＣＰＵ、１５  色変換部Ａ、１６  色変換部Ｂ、１７  色変換部Ｃ、２０、２０ａ  ホストコンピュータ、
２２  プロファイルＣ、２３  プロファイルＰ、
２４  色管理エンジン、２５  ＡＰＩ。
【図１】
0003638990.tif 000031
【図２】
0003638990.tif 000032
【図３】
0003638990.tif 000033
【図４】
0003638990.tif 000034
【図５】
0003638990.tif 000035
【図６】
0003638990.tif 000036